(57)【特許請求の範囲】
【請求項１】
折りたたみ可能に形成された自由端側枠と、折りたたみ可能に形成された基部側枠と、両端を上記自由端側枠および基部側枠に固定され、屈伸性材料で形成されたシートと、上記基部側枠に形成された基部側開口部と、上記自由端側枠に形成された自由端側開口部とを備えた風量測定用フード部。
【請求項２】
自由端側枠と基部側枠との間に配置され、押し圧力によりシートを緊張させ、全体を所定適正形状に維持する緊張力付与手段を備えたことを特徴とする請求項１記載の風量測定用フード部。
【請求項３】
自由端側枠、基部側枠、シートの内部に風向を整え風量測定精度を向上させる風向適正化部材を設けたことを特徴とする請求項１又は請求項２記載の風量測定用フード部。
【請求項４】
折りたたみ可能に形成され、自由端側開口部を有する自由端側枠、折りたたみ可能に形成され、基部側開口部を有する基部側枠、両端を上記自由端側枠および基部側枠に固定され、屈伸性材料で形成されたシートを有する風量測定用フード部と、この風量測定用フード部に着脱可能な風量測定部分とを備えた風量測定用フード。
【請求項５】
風量測定部分は、風速センサーの指向性に合わせて取り付け位置を調節出来る風速センサー取り付け部を備えたことを特徴とする請求項４記載の風量測定用フード。
【発明の詳細な説明】
【０００１】
【発明の属する技術分野】
この発明は、建物に取り付けられた換気扇やダクト空調機などの風量を測定するのに用いる、搬送性に優れた、簡易な風量測定用フード部および風量測定用フードに関するものである。
【０００２】
【従来の技術】
図６は、実用新案登録第２４２４７４５号公報に示された従来の風量測定用フードの実施例を示す使用状態の斜視図である。図において、１０１は風量測定用フードの四角錐台形状の筒体１０２を形成する４つの隅部であって、この筒体１０２は、自由端側開口部１０３、基部側開口部１０４および隅部１０１とから構成されている。１０５は建物の天井面に取り付けられた換気口、１０６は携帯式風速計、１０７は携帯式風速計１０６で読取った風速を風量に換算する換算表である。
【０００３】
また、筒体１０２は屈伸性のある材料で形成され、隅部１０１により屈伸させて四つ折りにすることが可能なので、工具ボックス等に入れて便利に持ち運ぶことが出来る。
【０００４】
従来の風量測定用フードの使用方法について説明する。
風量測定時には、換気ファンを運転しながら筒体１０２の自由端側開口部１０３の周縁を換気口１０５に密着させ、基部側開口部１０４に吸いこまれる空気の風速を携帯式風速計１０６によって測定し、読取った風速を筒体１０２に貼り付けられた換算表１０７によって風量に換算することで風量を測定することができる。
【０００５】
【発明が解決しようとする課題】
従来の風量測定用フードは以上のように構成されているので、軽量で搬送性に優れ、取り扱いが簡単ではあるが、その反面、フード部分の剛性が弱いため変形しやすく、その結果フード内での風速分布が一定せず、常に正確な風量を測定することが出来ないという課題があった。また、特に室内に空気を供給する（給気）場合、給気風量が低いと、換気扇グリルの位置によっては空気の流れがフード壁面に沿って流れるため、逆流現象を起し、正確な風速が測れないという課題があった。
【０００６】
この発明は上記のような課題を解決するためになされたもので、建物に取り付けられた換気扇やダクト空調機などの風量を測定する簡易な風量測定用フードにおいて、フードの開口部分の強度を上げて、変形による風速分布の変化を防ぐことにより、測定精度が高く、搬送性にも優れた風量測定用フードを得ることを目的とする。
【０００７】
また、この発明は、低風量時の風量測定においても、信頼性の高い、風量測定用フード部および風量測定用フードを得ることを目的とする。
【０００８】
さらに、この発明は、常に風速センサーの指向性に合わせた状態で風速測定出来る、信頼性の高い風量測定用フード部および風量測定用フードを得ることを目的とする。
【０００９】
【課題を解決するための手段】
この発明に係る風量測定用フード部は、折りたたみ可能に形成された自由端側枠および基部側枠と、両端を上記自由端側枠および基部側枠に固定され、屈伸性材料で形成されたシートと、基部側開口部と、自由端側開口部とを備えたものである。
【００１０】
この発明に係る風量測定用フード部は、自由端側枠と基部側枠との間に配置され、押し圧力によりシートを緊張させ、全体を所定適正形状に維持する緊張手段を備えたものである。
【００１１】
この発明に係る風量測定用フード部は、自由端側枠、基部側枠、シートの内部に風向を整え風量測定精度を向上させる風向適正化部材を備えたものである。
【００１２】
この発明に係る風量測定用フードは、風量測定用フード部と、この風量測定用フード部に着脱可能な風量測定部分とを備えたものである。
【００１３】
この発明に係る風量測定用フードは、風量測定部分として、風速センサーの指向性に合わせて取り付け位置を調節出来る風速センサー取り付け部を備えたものである。
【００１４】
【発明の実施の形態】
以下、この発明の実施の一形態を説明する。
実施の形態１．
図１（ａ）〜図１（ｃ）はこの発明の実施の形態１による建物に取付前の風量測定用フードの構成説明図であって、例えば、天井に取付けられた使用状態では、図の下方が天井側となり、他方、図の上方は、室内空間側となる。そこで、説明するに際し、図の上方を自由端側、図の下方を基部側として説明する、図１（ａ）は、風量測定用フード部１の斜視図、図１（ｂ）は、風量測定部分２の斜視図、図１（ｃ）は、風量測定用フード部１の折りたたみ状態の斜視図である。
【００１５】
図において、風量測定用フードは、風量測定用フード部１とこの風量測定用フード部１の自由端側に着脱可能に配置固定される風量測定部分２とで構成されている。３は、風量測定部分２に設けられた着脱手段としてのフック状のバックルであって、風量測定用フード部１の自由端側枠５に設けられたフック状の係合部５ａと係合させることにより、風量測定部分２を着脱可能に固定する機能を果たす。４は、風量測定部分２の一側面に形成配置された風速センサー取付用のボディー（風速センサー取付部）である。
【００１６】
１は、風量測定用フード部であって、自由端側枠５（枠体）、基部側枠６（枠体）および屈伸性を有する材料で形成された四角錘台形状のシート７を備え、上下に四角形状の自由端側開口部８および基部側開口部９を有する。
【００１７】
５は、風量測定用フード部１の自由端側に配置された自由端側枠（枠体）であって、この自由端側枠５はコの字形の２つの枠からなり、この２つの枠をヒンジ１０とバックル１１で固定することにより折りたたみ可能な四角状に構成されている。５ａは、風量測定部分２のバックル３と係合するフック状の係合部、５ｂは自由端側枠５に設けられたトッテであり、測定時にハンドルとして用いられる。
【００１８】
６は、風量測定用フード部１の基部側に配置された基部側枠（枠体）であり、自由端側枠５と同様にヒンジ（図示せず）とバックル１１で固定され、コの字形の２つの枠からなり、この２つの枠をヒンジ１０とバックル１１で固定することにより折りたたみ可能な四角状に構成されている。
従って、上記自由端側枠５および基部側枠６は、図１（ｃ）のようにヒンジ１０を用いて折りたたみ可能な構造に構成されている。
【００１９】
自由端側枠５および基部側枠６は、風量測定時においては、図１のようにヒンジ１０およびバックル１１によって剛性のある四角形状を構成することが出来る。また、収納時には、図１（ｃ）のようにバックル１１を外すことにより、風量測定用フードを風向方向に折りたたむことが出来る。
【００２０】
７は、屈伸性を有する材料で形成され、自由端側と基部側とが開口された四角錘台形状のシートであって、両端が自由端側枠５および基部側枠６に固定されている。従って、風量測定用フード部１は、上述のように、自由端側枠５、基部側枠６およびシート７によって、自由端側開口部８および基部側開口部９を有する四角錘台形状に形成されている。
【００２１】
１２は、図１（ａ）、図２に示すように、水平部１２ａとその両側の縦部１２ｂとから成る折曲状の縦補強棒であって、水平部１２ａは自由端側枠５内を軸方向に沿って遊嵌貫通し、両側の縦部１２ｂは、中空パイプ１３の中間部まで延びている。
【００２２】
１４は図１（ａ）、図２に示すように、水平部１４ａとその両側の縦部１４ｂとから成る折曲状の横補強棒であって、水平部１４ａは、基部側枠６に植設された２つの止め片１５の支持穴１５ａに遊嵌貫通支持されている。また、両側の縦部１４ｂは、中空パイプ１３の中間部まで延びている。
【００２３】
また、上記中空パイプ１３は縦補強棒１２および横補強棒１４に遊嵌状態に形成され、縦補強棒１２および横補強棒１４の軸方向に移動可能となっている。１７は、中空パイプ１３の一端部と止め片１５との間に弾発配置されたバネ（緊張力付与手段）であって、中空パイプ１３の他端部が縦補強棒１２の水平部１２ａを自由端側に押圧し、その結果、シート７を弛みなく緊張状態に保持し、シート７およびフード全体を適正形状に維持する機能を果たしている。
【００２４】
図３および図４はこの発明の実施の形態１による風量測定用フード部１内部の構造を詳細を示す説明斜視図である。図において、１８は風量測定用フード部１の内部に配置された四角錘台形状のインナースカート（風向適正化部材）であり、ひも１９により風量測定用フード１の内部空間に浮いた形で支持されている。インナースカート１８は、この風向を整え風量測定精度を向上させる機能を果たす。２０はひも１９の自由端に取り付けられたリング、２１は自由端側枠５と基部側枠６の各コーナー部分に設けた段付ネジである。
【００２５】
インナースカート１８は、各コーナー部分にひも１９を取り付け、ひも１９にリング２０を設けて段付ネジ２１にはめ込むことにより、風量測定用フード部１の内部空間に浮いた形で着脱可能に配置されている。
【００２６】
また、２２は自由端側枠５の風量測定部分２との固定面に設けられたパッキンであって、装着時の風漏れを防いでいる。２３は基部側枠６の換気扇グリル等の接触部に設けられた基部パッキンであって、同様に風量測定時の風漏れを防いでいる。
【００２７】
図５（ａ）はこの発明の実施の形態１による風量測定用フード部１の風速センサー取付部の分解斜視図、図５（ｂ）は風速センサー取付部の部分断面説明図である。図において、２４は携帯風速計の風速センサーであり、２５はねじ込みナット、２６はスペーサーである。また、４は図１で示した風量測定部分２に取り付けられたボディーである。
【００２８】
実施の形態１による風量測定用フードへの風速センサー２４の取り付け方法について説明する。
風速センサー２４は風量測定部分２に設けられたボディー４に、弾性のあるスペーサー２６とねじ込みナット２５を介在させて締め付けられる。ねじ込みナット２５の締め付けにより、スペーサー２６が変形し風速センサー２４を保持できるように構成しているため、容易に着脱することが出来る。また、ボディー４には風速センサー２４の軸方向の取り付け位置が決められるように、軸方向に段を設け、さらに回転方向にも位置が決まるように、ボディー４内に段を設けている。
【００２９】
よって、風の流れによる指向性のある風速センサー２４を測定に用いる場合に、センサー部分の位置が風量測定部分２の中心に来るように配置し、さらに回転方向についても風速センサー２４の指向性に合わせて配置することにより、常に中心風速をセンサーの指向性に合わせた状態で測定できるため、信頼性の高い風量測定を行うことが出来る。
【００３０】
以上のように、この実施の形態１によれば、風量測定用フード部１の自由端側開口部８および基部側開口部９に自由端側枠５、基部側枠６を設けて開口部分の強度を上げることにより、フードの変形による風速分布変化を防ぎ、測定精度の高い風量測定用フードが得られるという効果がある。
【００３１】
また、この実施の形態１によれば、風量測定用フード部１とこの風量測定用フード部１に配置固定される風量測定部分２とをバックル３により着脱可能にしたので、運搬時の体積を小さく出来るという効果がある。
【００３２】
さらに、この実施の形態１によれば、風量測定用フード部１の開口部の自由端側枠５および基部側枠６をヒンジ１０、バックル１１により、対象に配置することで、剛性のある四角形状で折りたたみ可能な状態に構成されるので、強度を保持しつつ、運搬時の体積を小さく出来るという効果がある
【００３３】
さらに、この実施の形態１によれば、風量測定用フード部１を開いた場合に、バネ１７にて四角錘台形状のシート７が張れるようにすることにより、シート７が引っ張られる結果、風量測定用フード部１全体の形状が安定し、再現性のある安定した測定を行うことが出来るという効果がある。
【００３４】
さらに、この実施の形態１によれば、風量測定用フード部１の内部にさらに小型の四角錘台形形状であるインナースカート１８を設けたことにより、低風量時の風量測定を行う場合に発生するフード壁面に沿った流れをインナースカート１８にて風向を変えることができる、すなわち、風向を整え風量測定精度を向上させることが可能となるので、低風量時にも、信頼性の高い測定が出来る風量測定用フードが得られるという効果がある。
【００３５】
さらに、この実施の形態１によれば、インナースカート１８は必要に応じて、容易に着脱が可能である。
【００３６】
さらに、この実施の形態１によれば、風量測定部分２のボディー４にセンサーの取り付け位置を決められる段を、軸方向および回転方向に設けたので、風の流れによる指向性のある風速センサー２４の場合にも、常に中心風速を風速センサー２４の指向性に合わせた状態で測定できるため、信頼性の高い風量測定を行うことが出来る。
【００３７】
さらに、この実施の形態１によれば、風速センサー２４は容易に着脱することが可能である。
【００３８】
【発明の効果】
以上のように、この発明によれば、折りたたみ可能に形成された自由端側枠および基部側枠と、両端を上記自由端側枠および基部側枠に固定され、屈伸性材料で形成されたシートと、基部側開口部と、自由端側開口部とを備えた構成としたので、フードの開口部分の強度が向上し、変形による風速分布の変化の影響を防げるため測定精度が高く、搬送性にも優れた風量測定用フードを得られるという効果がある。
【００３９】
この発明によれば、自由端側枠と基部側枠との間に配置され、押し圧力によりシート緊張し全体を所定形状に維持する緊張手段を備えた構成としたので、変形による風速分布の変化の影響を受けず、信頼性の高い風量測定用フードを得られるという効果がある。
【００４０】
この発明によれば、自由端側枠、基部側枠、シートの内部に風向を整え風量測定精度を向上させる風向適正化部材を備えた構成としたので、低風量時の風量測定においても、精度の高い測定が可能な風量測定フードを得られるという効果がある。
【００４１】
この発明によれば、風量測定用フード部と、この風量測定用フード部に着脱可能な風量測定部分とを備えた構成としたので、搬送性に優れた風量測定用フードを得られるという効果がある。
【００４２】
この発明によれば、風量測定部分は、風速センサーの指向性に合わせて取り付け位置を調節出来る風速センサー取り付け部を備えた構成としたので、常に風速センサーの指向性に合わせた状態で風速測定出来る、信頼性の高い風量測定用フードを得られるという効果がある。
【図面の簡単な説明】
【図１】  この発明の実施の形態１による風量測定用フードを示す構成説明図である。
【図２】  この発明の実施の形態１の縦補強棒および横補強棒の構成図である。
【図３】  この発明の実施の形態１による風量測定用フード部内部の構造を示す説明斜視図である。
【図４】  この発明の実施の形態１による風量測定用フード部内部構造の一部拡大した説明斜視図である。
【図５】  この発明の実施の形態１による風量測定用フード部の風速センサー取付部の分解説明図である。
【図６】  従来の風量測定用フードの使用状態を示す斜視図である。（実登２４２４７４５号公報）
【符号の説明】
１  風量測定用フード部、２  風量測定部分、４  ボディー（風速センサー取付部）、５  自由端側枠（枠体）、６  基部側枠（枠体）、７  シート、８  自由端側開口部、９  基部側開口部、１０  ヒンジ、１１  バックル、１２  縦補強棒、１３  中空パイプ、１４  横補強棒、１５  止め片、１７  バネ（緊張力付与手段）、１８  インナースカート（風向適正化部材）、２４  風速センサー。
【図１】
0004034094.tif 000002
【図２】
0004034094.tif 000003
【図３】
0004034094.tif 000004
【図４】
0004034094.tif 000005
【図５】
0004034094.tif 000006
【図６】
0004034094.tif 000007